(57)【要約】【課題】  デジタルスチルカメラ等の外部装置が無くても、時と場所を選ばずにプリント出力を行いたい画像データのプリント出力が行えるオンデマンド型のプリンタを提供する。【解決手段】  プリンタの制御部１４はＵＳＢホストコントローラ２０を備え、デジタルスチルカメラ２３をストレージクラスのＵＳＢデバイスとして接続する。デジタルスチルカメラ２３から取得した画像データは、プリント出力に必要なラスタデータに変換されて、記録実行部２２によって実際の記録動作が実行される。記録実行部２２によってプリント出力を行った後、当該プリント出力の対象となった画像データは自動的に内部記憶手段２１に格納され、これにより、デジタルスチルカメラ２３が無くてもプリント出力を実行可能となる。【選択図】図２
2005280285.tif 000002
【特許請求の範囲】
【請求項１】
被記録媒体に記録を行う記録実行手段と、
データファイルを格納した外部記憶手段と接続する為のインタフェース部と、
前記データファイルを格納可能な内部記憶手段と、
前記外部記憶手段から取得した前記データファイルを前記内部記憶手段に格納するデータ格納手段と、
を備えていることを特徴とする記録装置。
【請求項２】
被記録媒体に記録を行う記録実行手段と、
データファイルを格納した外部記憶手段と接続する為のインタフェース部と、
前記データファイルを格納可能な内部記憶手段と、
前記記録実行手段による記録実行動作に伴って、前記外部記憶手段から取得した、当該記録実行動作の対象となる前記データファイルを、前記内部記憶手段に自動的に格納するデータ格納手段と、
を備えていることを特徴とする記録装置。
【請求項３】
請求項２において、前記記録実行手段による記録実行動作に伴って当該記録実行動作の対象となる前記データファイルを、前記内部記憶手段に自動的に格納するモードと、前記内部記憶手段に格納しないモードと、を切り換え可能に構成されている、
ことを特徴とする記録装置。
【請求項４】
請求項２または３において、前記記録実行手段による記録実行動作に伴って、当該記録実行動作の対象となる前記データファイルの記録実行頻度を前記内部記憶手段に格納する記録実行頻度格納手段と、
前記記録実行頻度に基づいて前記データファイルをソートするとともに、各種情報を表示する表示部にソート順にインデックス表示するインデックス表示手段とを備え、
前記インデックス表示上から記録を行う前記データファイルを指定して記録を実行可能に構成されている、
ことを特徴とする記録装置。
【請求項５】
請求項２から４のいずれか１項において、前記記録実行手段による記録実行動作に伴って、当該記録実行動作時の記録条件を、当該記録実行動作の対象となる前記データファイルと関連付けて前記内部記憶手段に格納する記録条件格納手段を備えるとともに、
前記データファイルの記録実行動作を再度実行する際に、前記記録条件に従って記録を実行可能に構成されている、
ことを特徴とする記録装置。
【請求項６】
請求項１から５のいずれか１項において、前記インタフェース部が、ＵＳＢホストコントローラによって構成されている、
ことを特徴とする記録装置。
【請求項７】
請求項６において、前記記録装置が、外部のホストコンピュータと接続する為のＵＳＢデバイスコントローラを備えている、
ことを特徴とする記録装置。
【発明の詳細な説明】
【技術分野】
【０００１】
本発明は、例えばデジタルスチルカメラや、当該デジタルカメラが備えるメモリカード等の外部記憶手段と接続可能に構成された記録装置に関する。
【背景技術】
【０００２】
近年、デジタルスチルカメラの普及に伴い、記録装置の一例としてのインクジェットプリンタを用いてデジタル画像を出力する為の様々なシステムが開発されている。その一例としてダイレクトプリントシステム、即ちデジタルスチルカメラに装着されたメモリカードを直接インクジェットプリンタに装着し、画像データを読み込み、そしてコンピュータを介さないで直接に画像データを出力可能なシステムが開発されている。また、コンピュータを介さないでデジタルスチルカメラと直接接続し、デジタルスチルカメラからインクジェットプリンタに対して直接に画像データを送信するとともにデジタルスチルカメラ側からインクジェットプリンタへプリント出力命令を出すことが可能なシステムも開発されている（例えば、特許文献１参照）。
【０００３】
【特許文献１】特開２００３−２５６１５４号公報
【発明の開示】
【発明が解決しようとする課題】
【０００４】
しかし、いずれにしても、従来のプリントシステムにあっては画像データはコンピュータやデジタルスチルカメラ等が備える外部記憶手段に格納されているので、プリント出力を行う際にはこれら外部装置即ち外部記憶手段が必要となる。  
一方、持ち運び可能な小型プリンタは、設置場所を選ばず様々な場所でプリント出力を行うことができるが、例えば過去にプリント出力を行った画像データで気に入ったものがあり、当該画像データを再度プリント出力したい場合でも、上述の様に外部装置が無い場合にはプリント出力が行えず、小型プリンタの機動性を活かしきれない場合があった。
【０００５】
そこで本発明はこの様な状況に鑑みなされたものであり、その課題は、デジタルスチルカメラ等の外部装置が無くても、時と場所を選ばずにプリント出力を行いたい画像データのプリント出力が行えるオンデマンド型のプリンタを提供することにある。
【課題を解決するための手段】
【０００６】
上記課題を解決する為に、本発明の第１の態様に係る記録装置は、被記録媒体に記録を行う記録実行手段と、データファイルを格納した外部記憶手段と接続する為のインタフェース部と、前記データファイルを格納可能な内部記憶手段と、前記外部記憶手段から取得した前記データファイルを前記内部記憶手段に格納するデータ格納手段とを備えていることを特徴とする。  
上記態様によれば、記録装置は外部記憶手段に格納されたデータファイルを格納可能な内部記憶手段と、外部記憶手段から取得したデータファイルを前記内部記憶手段に格納するデータ格納手段とを備えているので、前記外部記憶手段の一例としてのデジタルスチルカメラ等から前記データファイルの一例としての画像データを取得し、そして装置内部に格納することができ、その結果外部記憶手段が無くても、時と場所を選ばずに出力を行いたい画像データの記録実行動作（以下適宜「プリント出力」とも言う）を行うことが可能となる。
【０００７】
本発明の第２の態様に係る記録装置は、被記録媒体に記録を行う記録実行手段と、データファイルを格納した外部記憶手段と接続する為のインタフェース部と、前記データファイルを格納可能な内部記憶手段と、前記記録実行手段による記録実行動作に伴って、前記外部記憶手段から取得した、当該記録実行動作の対象となる前記データファイルを、前記内部記憶手段に自動的に格納するデータ格納手段とを備えていることを特徴とする。  
上記態様によれば、記録装置は外部記憶手段に格納されたデータファイルを格納可能な内部記憶手段と、前記記録実行手段による記録実行動作に伴って、前記外部記憶手段から取得した、当該記録実行動作の対象となる前記データファイルを、前記内部記憶手段に自動的に格納するデータ格納手段とを備えているので、例えばプリント出力を行うとともに当該プリント出力の対象となった画像データが自動的に記録装置内部に格納される。従って、ユーザは特に意識をせず、過去にプリント出力を行った画像データを、デジタルスチルカメラ等の外部装置が無くても時と場所を選ばずに再びプリント出力することができる。従って特に、持ち運び可能な小型の記録装置にあっては、その機動性を充分に発揮することが可能となる。
【０００８】
本発明の第３の態様に係る記録装置は、上記第２の態様において、前記記録実行手段による記録実行動作に伴って当該記録実行動作の対象となる前記データファイルを、前記内部記憶手段に自動的に格納するモードと、前記内部記憶手段に格納しないモードと、を切り換え可能に構成されていることを特徴とする。  
上記態様によれば、記録実行動作の対象となる前記データファイルを前記内部記憶手段に自動的に格納するモードと、前記内部記憶手段に格納しないモードとを切り換え可能に構成されているので、必要の無いデータファイルが前記内部記憶手段に格納されることによる前記内部記憶手段の記憶容量の圧迫を防止することができる。
【０００９】
本発明の第４の態様に係る記録装置は、上記第２のまたは第３の態様において、前記記録実行手段による記録実行動作に伴って、当該記録実行動作の対象となる前記データファイルの記録実行頻度を前記内部記憶手段に格納する記録実行頻度格納手段と、前記記録実行頻度に基づいて前記データファイルをソートするとともに、各種情報を表示する表示部にソート順にインデックス表示するインデックス表示手段とを備え、前記インデックス表示上から記録を行う前記データファイルを指定して記録を実行可能に構成されていることを特徴とする。
【００１０】
ユーザによっては、お気に入りの画像データを繰り返しプリント出力する傾向があるので、この様な記録実行頻度（記録を実行した回数と、総プリント枚数の双方の概念を含む）の高い画像データから優先的に表示部に表示させて、プリント出力することが可能となれば、極めてユーザフレンドリとなる。そこで上記態様においては、前記記録実行手段による記録実行動作に伴って、当該記録実行動作の対象となる前記データファイルの記録実行頻度を前記内部記憶手段に格納し、当該記録実行頻度に基づいて前記データファイルをソートするとともにソート順にインデックス表示し、当該インデックス表示上からデータを指定して記録を実行可能に構成されているので、ユーザの利便性をより一層向上させることができる。
【００１１】
本発明の第５の態様に係る記録装置は、上記第２から第４の態様のいずれかにおいて、前記記録実行手段による記録実行動作に伴って、当該記録実行動作時の記録条件を、当該記録実行動作の対象となる前記データファイルと関連付けて前記内部記憶手段に格納する記録条件格納手段を備えるとともに、前記データファイルの記録実行動作を再度実行する際に、前記記録条件に従って記録を実行可能に構成されていることを特徴とする。
【００１２】
ユーザによっては、過去にプリント出力して良好に出力できた画像を、同じ記録条件（記録用紙の種類、サイズ、色補正条件、等々の記録結果を左右する条件）で再びプリント出力したいと考える傾向があり、この様な場合に、簡単に過去の記録条件と同じ条件でプリント出力することができれば、ユーザの利便性をより一層向上させることができる。そこで上記態様においては、プリント出力の際に当該プリント出力時の記録条件を画像データと関連付けて内部記憶手段に格納することで、当該画像データのプリント出力を再度実行する際に、格納された記録条件に従ってプリント出力を実行可能としているので、ユーザの利便性をより一層向上させることができる。
【００１３】
本発明の第６の態様に係る記録装置は、上記第１から第５の態様のいずれかにおいて、前記インタフェース部が、ＵＳＢホストコントローラによって構成されていることを特徴とする。
【００１４】
本発明の第７の態様に係る記録装置は、上記第６の態様において、前記記録装置が、外部のホストコンピュータと接続する為のＵＳＢデバイスコントローラを備えていることを特徴とする。
【発明を実施するための最良の形態】
【００１５】
以下、図１乃至図６を参照しながら本発明の一実施形態について説明する。ここで、図１は本発明に係る記録装置の一例としてのインクジェットプリンタ（以下「プリンタ」と言う）１の外観斜視図、図２は制御部１４のブロック図、図３はデジタルスチルカメラ接続時の処理の第１実施例を示すフローチャート、図４はデジタルスチルカメラ接続時の処理の第２実施例を示すフローチャート、図５は再プリント出力時の処理内容を示すフローチャート、図６は表示画面の一例を示す図である。
【００１６】
先ず、図１を参照しながらプリンタ１の構成について概説する。図１においてプリンタ１は、被記録媒体の一例としての、比較的サイズの小さいハガキ、Ｌ判サイズ等の記録用紙への記録に適した小型サイズに構成されたものである。従って、装置の外観を構成するハウジング３にはハンドル６が回動自在に取り付けられ、これによって持ち運びの際にハンドル６を把持することでプリンタ１を容易に運搬することが可能となっている。
【００１７】
このプリンタ１はＡ４サイズの記録に好適であるインクジェットプリンタと同様に、装置後部に記録用紙を傾斜姿勢で複数枚セット可能な給送装置（ＡＳＦ）２を、装置中程に主走査方向に往復動可能に設けられる、インクジェット記録ヘッド（図示せず）を備えたキャリッジ（図示せず）を、装置前部には記録の行われた記録用紙をスタックするスタッカ８を備えている。スタッカ８は、非使用時には図示する様に略垂直に立設された収納状態となり、使用時には、プリンタ前方側に開いて記録用紙をスタック可能な使用状態となる。
【００１８】
装置上面中央には電源ボタン、印刷設定ボタン等によって構成された操作部５と、印刷設定内容や現在の動作ステータスの表示、更に縮小画像のインデックス表示が可能な液晶表示部４が配置されている。また、プリンタ前面において右側上部には、「データファイル」の一例としての画像データが記憶された、「外部記憶手段」の一例としてのメモリカード１３を挿脱可能なカードスロット９、１０が、開閉自在なカバー７によって覆われる様に設けられるとともに、プリンタ背面側には、外部記憶手段を有する外部装置、例えば、デジタルスチルカメラ２３（図２）等とＵＳＢインタフェースによって通信する為のＵＳＢポート１１と、ホストコンピュータ２４（図２）とＵＳＢインタフェースによって通信する為のＵＳＢポート１２が設けられている。即ち、プリンタ１は、スタンドアロンマシンとしても、コンピュータの周辺機器としても、そしてデジタルスチルカメラ等の外部装置に対するホストとしても機能する様に構成されている（詳細は後述）。
【００１９】
次に、当該プリンタ１の制御部１４の構成について説明する。プリンタ１の各構成要素を制御する制御部１４は、ＡＳＩＣ１５、ＣＰＵ１６、ＲＯＭ１７、ＲＡＭ１８、ＵＳＢデバイスコントローラ１９、ＵＳＢホストコントローラ２０、内部記憶手段２１、を備え、更に図示しない種々の構成要素をも備えている。
【００２０】
この制御部１４において、ＣＰＵ１６はプリンタ１の制御プログラムを実行する為の演算処理やその他必要な演算処理を行い、ＲＡＭ１８はＣＰＵ２１の作業領域や他のデータの１次格納領域として用いられ、ＲＯＭ１７には、プリンタ１を制御する為に必要な制御プログラム（ファームウェア）および処理に必要なデータ等が格納されている。また、ＡＳＩＣ１５はカードスロット９、１０に接続されたメモリカード１３等に対するアクセス制御を行ったり、或いは、液晶表示部４の表示制御を行ったり、或いは、操作部５におけるボタン操作内容を識別したり、或いは、ＵＳＢデバイスコントローラ１９やＵＳＢホストコントローラ２０との間で必要な情報のやりとりを行ったり、或いは、記録実行部２２における特定の構成要素に対して必要な情報を送信する。
【００２１】
記録実行部２２は、記録用紙を搬送する搬送ローラ（図示せず）、記録用紙にインクジェット記録を行う記録ヘッド（図示せず）、記録の行われた記録用紙を排出する排出ローラ（図示せず）等を備えて構成され、制御部１４からの指示に従って所定の方式（例えば、インターレース記録方式）により記録用紙に実際の記録を行う。
【００２２】
ＵＳＢデバイスコントローラ１９は、ホストコンピュータ２４から画像イメージを含んだコマンドデータを受け取り、そして記録実行部２２によって記録を実行する場合には、ＡＳＩＣ１５をプリンタクラスとしてホストコンピュータ２４に接続する。これにより、プリンタ１は、ホストコンピュータ２４の周辺機器として動作し、ホストコンピュータ２４の制御命令に従って各種動作を実行する。
【００２３】
ＵＳＢホストコントローラ２０は、デジタルスチルカメラ２３から画像データを受け取ってこれのプリント出力を実行する場合には、デジタルスチルカメラ２３をストレージクラスとしてＡＳＩＣ１５に接続する。これにより、プリンタ１はＵＳＢホストとしてデジタルスチルカメラ２３に接続し、ＡＳＩＣ１５がデジタルスチルカメラ２３内の全部又は一部の画像ファイルを液晶表示部４に縮小表示し、そして必要に応じて記録実行部２２によってプリント出力を行うことができる。また、内部記憶手段（例えば、ハードディスク装置や、フラッシュ・メモリ等によって構成される）２１をストレージクラスとしてＡＳＩＣ１５に接続し、これにより、デジタルスチルカメラ２３内の全部又は一部の画像ファイルを必要に応じて格納したり、格納された画像ファイルを縮小画像として液晶表示部４に表示したりすることが可能となる。
【００２４】
以上がプリンタ１の構成であり、以下、外部記憶手段が接続された際の処理の第１実施例として、デジタルスチルカメラ２３が接続された際の処理について図３を参照しながら説明する。  
外部記憶手段を有するデジタルスチルカメラ２３が接続されると、先ずカメラとの接続の確立を行い（ステップＳ１０１）、次に、液晶表示部４に、画像データをプリンタ１内部に保存するか否かの選択を促すメッセージを表示する（ステップＳ１０２）。画像データを保存しない旨のボタン操作が行われた場合には（ステップＳ１０２の否定枝）、デジタルスチルカメラ２３内に格納された全画像データを縮小してインデックス表示を行う（ステップＳ１０５）。これにより、ユーザはプリント出力を行う画像を選択できる状態となる。
【００２５】
逆に、画像データを保存する旨のボタン操作が行われた場合には（ステップＳ１０２の肯定枝）、全ての画像データを保存するか、選んで保存するかの選択を促すメッセージを表示し（ステップＳ１０３）、全ての画像データを保存する旨のボタン操作が行われた場合には、デジタルスチルカメラ２３内の全画像データを内部記憶手段２１に保存し（ステップＳ１０４）、全画像のインデックス表示を行う（ステップＳ１０５）。画像データを選んで保存する旨のボタン操作が行われた場合には、全画像データを縮小してインデックス表示を行い（ステップＳ１０６）、画像の選択を促した後、画像データを保存する旨のボタン操作が行われた場合には（ステップＳ１０７の肯定枝）、選択された画像データを内部記憶手段２１に保存し（ステップＳ１０８）、選択された画像のインデックス表示を行う（ステップＳ１０９）。これにより、ユーザはプリント出力を行う画像を選択できる状態となる。
【００２６】
以上により、デジタルスチルカメラ２３内の全ての画像データ、または選択した一部の画像データが内部記憶手段２１に格納されることとなり、デジタルスチルカメラ２３が無くても、時と場所を選ばずに出力を行いたい画像データのプリント出力を行うことが可能なオンデマンド型のプリンタが構成される。従って特に、本実施形態に係るプリンタ１の様な持ち運び可能な小型プリンタの機動性を充分に活かすことができる。
【００２７】
次に、図４を参照しながら第２実施例について説明する。  
上記第１実施例と同様に、デジタルスチルカメラ２３が接続されると、先ずカメラとの接続確立処理を行い（ステップＳ２０１）、カメラ内の全画像データのインデックス表示を行う（ステップＳ２０２）。ユーザは、このインデックス表示画面においてプリント出力を行う画像を選択する。そして、プリント出力を行う旨のボタン操作が行われると（ステップＳ２０３の肯定枝）、１画像のプリント出力を行い（ステップＳ２０４）、プリント出力の対象となった画像データを内部記憶手段２１に保存し（ステップＳ２０５）、インデックスファイルの更新を行う（ステップＳ２０６）。ここで、インデックスファイルとは内部記憶手段２１に格納されているファイルであり、内部記憶手段２１に格納されている画像データのファイル名、内部記憶手段２１に格納した日時等の、画像データに関連する情報を記述したデータファイルである。従って当該インデックスファイルを参照することにより、内部記憶手段２１に格納された画像データのファイル名（パス名（保存先）を含む）、格納日時、記録実行頻度（既プリント枚数）、前回プリント出力時の記録条件（用紙サイズ、用紙種類、解像度、レイアウト（縁有り又は縁無し）、色補正情報等）等の情報を知ることができる。
【００２８】
以上によりインデックスファイル更新時は、新たに内部記憶手段２１に格納する画像データに関する上記情報を、画像データ（ファイル名）と関連付けて書き込む。尚、画像データを格納する際に既に同一ファイル名の画像データが存在する場合には、ファイル名の末尾に追い番を付して上書きを回避する。また、画像データを保存する際に内部記憶手段２１の記憶容量が足りない場合には、その旨を警告メッセージとして表示する。そして、選択された全ての画像のプリント出力が終わるまでこれら動作を繰り返し実行する（ステップＳ２０７）。
【００２９】
一方、プリント出力を行わずに、画像データの保存のみを行う旨のボタン操作が行われた場合には（ステップＳ２０３の否定枝、ステップＳ２０８の肯定枝）、選択された画像データを内部記憶手段２１に格納し（ステップＳ２０９）、インデックスファイルの更新を行う（ステップＳ２１０）。プリント出力を行わず、画像データの格納も行わない場合は、そのまま終了する（ステップＳ２０３の否定枝、ステップＳ２０８の否定枝）。
【００３０】
この様にプリント出力時にプリント出力の対象となる画像データが内部記憶手段２１に自動的に格納されるので、ユーザは特に意識することなく、過去にプリント出力を行った画像データを、デジタルスチルカメラ等の外部装置が無くても時と場所を選ばずに後に再びプリント出力することが可能となる。尚、例えば初期メニュー画面等において、プリント出力時に自動的に画像データを格納するモードと、格納しないモードとを切り換え可能に構成すれば、より一層ユーザフレンドリとなる。
【００３１】
次に、図５はこの様にして格納された画像データの再プリント出力時の処理の流れを示すものであり、内部記憶手段２１に格納された画像データのプリント出力を行う旨のボタン操作が行われると、先ずインデックスファイルを読み込み（ステップＳ３０１）、既プリと枚数データをキーに画像データ（具体的には、ファイル名）をソートして（ステップＳ３０２）、既プリント枚数の多い順に縮小画像をインデックス表示する（ステップＳ３０３）。図６は当該インデックス表示の一例を示すものであり、縮小画像の下に便宜上の連番（例えば、０００１〜９９９９）、その下に内部記憶手段２１にデータを保存した日時、その下に最後にプリント出力を行った日時、更にその下に既プリント枚数、が示される。連番の横に記されたチェックボックスは画像選択を行うチェックボックスであり、カーソルキーによって画像を選択し（図では右下の画像０００４にカーソルが合っている）、画像選択ボタンを押下することでチェックボックスにチェックが入り、画像が選択された状態となる。
【００３２】
そして、プリント出力を行う旨のボタン操作が行われると（ステップＳ３０４の肯定枝）、１画像のプリント出力を行い（ステップＳ３０５）、インデックスファイルの更新を行う（ステップＳ３０６）。このとき、具体的には既プリント枚数のカウントアップ、最終プリント日時の更新、前回プリント時の記録条件の更新を行う。そして、選択された全ての画像のプリント出力が終わるまでこれら動作を繰り返し実行する（ステップＳ３０７）。
【００３３】
以上の様に、内部記憶手段２１に格納された画像データを、記録実行頻度（本実施形態では既プリント枚数（既プリント回数でも良い））の多い順に表示するので、同じ画像データを繰り返しプリント出力する傾向のあるユーザにあっては、デジタルスチルカメラ等の外部装置が無くても、時と場所を選ばずにお気に入りの画像データをプリント出力することができるとともに、プリント出力を行いたい画像データ（即ち既プリント枚数の多い画像データ）を容易に検索することができる。
【００３４】
ところで、インデックスファイルには前回プリント出力時の記録条件が記録されているので、当該前回プリント時の記録条件に従って記録を行う様に構成することもできる。これにより、例えば前回プリント出力時の結果が良好だった場合には、再び良好なプリント結果を得ることができ、ユーザフレンドリとなる。また、再プリント出力を行う際に、前回プリント時の記録条件に従ってプリント出力を行うモードと、その時点において設定されている記録条件に従ってプリント出力を行うモードとを、初期メニュー等のユーザインタフェースによって切り換え可能に構成することもできる。更に、プリント出力時に、当該プリント出力時の記録条件を保存するモード（インデックスファイルを更新するモード）と、当該プリント出力時の記録条件を保存しないモードとを切り換え可能に構成することもできるし、１画像プリント出力後に、その都度記録条件を保存するか否かの確認を行うメッセージを表示する様にしても良い。更に、上記例では内部記憶手段２１に格納された画像データを、既プリント枚数の多い順にソートしているが、インデックスファイルに記述された他の条件（例えば、データ格納日時等）をキーにしてソートすることも可能である。
【００３５】
尚、画像データを内部記憶手段２１に格納する「データ格納手段」、画像データの既プリント枚数をインデックスファイルに格納する「記録実行頻度格納手段」、既プリント枚数に基づいて画像データをソートして表示する「インデックス表示手段」、プリント出力時の記録条件を画像データと関連付けて内部記憶手段２１に格納する「記録条件格納手段」は、本実施形態においてはソフトウェア手段によって構成される。  
また、以上の実施例では外部記憶手段としてデジタルスチルカメラが接続された場合を説明するが、カードスロット９、１０にメモリカードが接続された場合にも、同様な処理を実行できるのは言うまでもない。
【図面の簡単な説明】
【００３６】
【図１】本発明に係るプリンタの外観斜視図。
【図２】本発明に係るプリンタの制御部のブロック図。
【図３】カメラ接続時の処理の第１実施例を示すフローチャート。
【図４】カメラ接続時の処理の第２実施例を示すフローチャート。
【図５】再プリント出力時の処理内容を示すフローチャート。
【図６】表示画面の一例を示す図。
【符号の説明】
【００３７】
１  インクジェットプリンタ、２  給送装置、３  ハウジング、４  液晶表示部、５  操作部、６  ハンドル、７  カバー、８  スタッカ、９、１０  カードスロット、１１、１２  ＵＳＢポート、１３  メモリカード、１４  制御部、１５  ＡＳＩＣ、１６  ＣＰＵ、１７  ＲＯＭ、１８  ＲＡＭ、１９  ＵＳＢデバイスコントローラ、２０  ＵＳＢホストコントローラ、２１  内部記憶手段、２２  記録実行部、２３  デジタルスチルカメラ、２４  ホストコンピュータ
【図１】
2005280285.tif 000003
【図２】
2005280285.tif 000004
【図３】
2005280285.tif 000005
【図４】
2005280285.tif 000006
【図５】
2005280285.tif 000007
【図６】
2005280285.tif 000008